(57)【要約】【課題】  意匠全体として統一感のある多段フェンスの提供。【解決手段】  上段フェンス１と下段フェンス２とを備え、各フェンス１，２は、上桟４ａ，４ｂ及び下桟５ａ，５ｂと上下桟間に設けた複数の格子９，９，…とを有し、上段フェンス１の下桟５ａと下段フェンス２の上桟４ｂは、一方に他方が呑み込ませてあり、見えがかり面に共通する特徴を有する意匠面１２を有し、上段フェンス１の上桟４ａから下段フェンス２の下桟５ｂにわたって、見えがかり面に上段フェンス１の下桟５ａと下段フェンス２の上桟４ｂとによる意匠面１２と共通の意匠面１２が繰り返すように設けてある。【選択図】      図１
2020056265.tif 000002
【特許請求の範囲】
【請求項１】
上段フェンスと下段フェンスとを備え、各フェンスは、上桟及び下桟と上下桟間に設けた複数の格子とを有し、上段フェンスの下桟と下段フェンスの上桟は、一方に他方が呑み込ませてあり、見えがかり面に共通する特徴を有する意匠面を有し、上段フェンスの上桟から下段フェンスの下桟にわたって、見えがかり面に上段フェンスの下桟と下段フェンスの上桟とによる意匠面と共通の意匠面が繰り返すように設けてあることを特徴とする多段フェンス。
【発明の詳細な説明】
【技術分野】
【０００１】
本発明は、上段フェンスと下段フェンスとを備える多段フェンスに関する。
【背景技術】
【０００２】
従来より、パネル状のフェンスを上下に並べて柱に取付けた多段フェンスが知られている（例えば、非特許文献１参照）。かかる従来の多段フェンスは、下段フェンスの上桟の上に上段フェンスの下桟が乗り、両者が合わさって上下段のフェンスの連結部が太く目立つため、上段フェンスと下段フェンスに意匠が分割されて統一感がなかった。
【先行技術文献】
【非特許文献】
【０００３】
【非特許文献１】三協立山株式会社 三協アルミ社発行のカタログ「エクステリア 総合カタログ」（カタログＮｏ．ＳＴＸ１１７５Ａ  ＫＹ．１８．０２−３０００）、２０１８年２月、ｐ．７０８
【発明の概要】
【発明が解決しようとする課題】
【０００４】
本発明は以上に述べた実情に鑑み、意匠全体として統一感のある多段フェンスの提供を目的とする。
【課題を解決するための手段】
【０００５】
上記の課題を達成するために請求項１記載の発明による多段フェンスは、上段フェンスと下段フェンスとを備え、各フェンスは、上桟及び下桟と上下桟間に設けた複数の格子とを有し、上段フェンスの下桟と下段フェンスの上桟は、一方に他方が呑み込ませてあり、見えがかり面に共通する特徴を有する意匠面を有し、上段フェンスの上桟から下段フェンスの下桟にわたって、見えがかり面に上段フェンスの下桟と下段フェンスの上桟とによる意匠面と共通の意匠面が繰り返すように設けてあることを特徴とする。
【発明の効果】
【０００６】
請求項１記載の発明による多段フェンスは、上段及び下段の各フェンスが、上桟及び下桟と上下桟間に設けた複数の格子とを有し、上段フェンスの下桟と下段フェンスの上桟は、一方に他方が呑み込ませてあり、見えがかり面に共通する特徴を有する意匠面を有し、上段フェンスの上桟から下段フェンスの下桟にわたって、見えがかり面に上段フェンスの下桟と下段フェンスの上桟とによる意匠面と共通の意匠面が繰り返すように設けてあることで、上段フェンスと下段フェンスとが意匠的に分断されることなく連続し、全体として統一感のある意匠になる。
【図面の簡単な説明】
【０００７】
【図１】図３のＡ−Ａ断面図である。
【図２】図３のＢ−Ｂ断面図である。
【図３】本発明の多段フェンスの第１実施形態を示す正面図である。
【図４】左右のフェンスの連結部の他の実施形態を示す横断面図である。
【図５】フェンスの小口材を分離して示す斜視図である。
【図６】左右フェンスの上桟を連結する上桟接続具と下桟を連結する下桟接続具を示す斜視図である。
【図７】本発明の多段フェンスの第２実施形態を示す正面図である。
【図８】図７のＤ−Ｄ断面図である。
【図９−１】多段フェンスの施工手順を示す正面図である。
【図９−２】多段フェンスの施工手順（図９−１の続き）を示す正面図である。
【図１０】多段フェンスの施工手順を示す縦断面図である。
【図１１】多段フェンス同士をコーナー部で連結した実施形態を示す斜視図である。
【図１２】コーナー部を拡大して示す平面図である。
【図１３】コーナー部を拡大して示す斜視図であって、（ａ）は縦材及び連結材にキャップを取付ける前の状態、（ｂ）はキャップを取付けた後の状態を示す。
【図１４】コーナー部の他の実施形態（出隅納まり）を示す平面図である。
【図１５】コーナー部の他の実施形態（入隅納まり）を示す平面図である。
【図１６−１】多段フェンスのコーナー部の施工手順を示す正面図である。
【図１６−２】多段フェンスのコーナー部の施工手順（図１６−１の続き）を示す正面図である。
【発明を実施するための形態】
【０００８】
以下、本発明の実施の形態を図面に基づいて説明する。図１〜３は、本発明に係る多段フェンスの第１実施形態を示している。本多段フェンスは、道路と敷地との境界部に設置されるものであり、図３に示すように、地面に間隔をおいて立設した複数の支柱３，３，３と、支柱３，３，３に取付けた上段フェンス１及び下段フェンス２を備える。上段フェンス１は、右フェンス１ａと左フェンス１ｂを連結して構成してある。下段フェンス２も、右フェンス２ａと左フェンス２ｂを連結して構成してある。
【０００９】
上段フェンス１の左右のフェンス１ａ，１ｂは、図１，２に示すように、上桟４ａ及び下桟５ａの左右両端部間に縦桟６，６を、中間部間に中縦桟７，７をそれぞれ取付け、縦桟６，６及び中縦桟７，７の道路側面に形成した係止部８に係止して、上桟４ａ及び下桟５ａ間に複数の格子９，９，…を所定のピッチで取付けたものとなっている。
下段フェンス２の左右のフェンス２ａ，２ｂも上段フェンス１と同様に、上桟４ｂ及び下桟５ｂの左右両端部間に縦桟６，６を、中間部間に中縦桟７，７をそれぞれ取付け、縦桟６，６及び中縦桟７，７の道路側面に形成した係止部８に係止して、上桟４ｂ及び下桟５ｂ間に複数の格子９，９，…を所定のピッチで取付けたものとなっている。
【００１０】
図１に示すように、上段フェンス１の下桟５ａの下面には溝１０が形成してあり、下段フェンス２の上桟４ｂの上面には突起１１が形成してあり、該突起１１を前記溝１０内の敷地側の端部に係止して溝１０内に呑み込ませてある。また、上段フェンス１の下桟５ａの敷地側の壁の下端３４が、下段フェンス２の上桟４ｂの上面に乗っている。
上段フェンス１の下桟５ａと下段フェンス２の上桟４ｂは、道路側の見えがかり面に、垂直で同じ見付幅の見付面１２ａと、見付面１２ａの上端より敷地側に斜め４５°で上向きにのびる傾斜面１２ｂとからなる共通する特徴を有する意匠面１２を有している。上段フェンス１の格子９と、下段フェンス２の格子９及び下桟５ｂは、上段フェンス１の下桟５ａと下段フェンス２の上桟４ｂと同様に、垂直で同じ見付幅の見付面１２ａと、見付面１２ａの上端より敷地側に斜め４５°で上向きにのびる傾斜面１２ｂとからなる共通する特徴を有する意匠面１２を有している。上段フェンス１及び下段フェンス２の上桟４ａ，４ｂと格子９と下桟５ａ，５ｂの見付面１２ａは面一になっており、各見付面１２ａ間の隙間ｓは同じ寸法になっている。これにより本多段フェンスは、上段フェンス１の上桟４ａから下段フェンス２の下桟５ｂにわたって、見えがかり面に上段フェンス１の下桟５ａと下段フェンス２の上桟４ｂとによる意匠面１２と同様の意匠面１２が繰り返すように設けてある。これにより本多段フェンスは、図３に示すように、上段フェンス１と下段フェンス２との境目が目立たず、全体として統一感のある意匠となっている。
【００１１】
図７，８は、本発明に係る多段フェンスの第２実施形態を示している。本多段フェンスは、図８に示すように、上段フェンス１の下桟５ａの下面には溝１０が形成してあり、下段フェンス２の上桟４ｂの上面には突起１１が形成してあり、該突起１１を前記溝１０内の敷地側の端部に係止して溝１０内に呑み込ませてある。また、上段フェンス１の下桟５ａの敷地側の壁の下端３４が、下段フェンス２の上桟４ｂの上面に乗っている。
また本多段フェンスは、図８に示すように、上段フェンス１の下桟５ａと下段フェンス２の上桟４ｂは、道路側の見えがかり面に、上下方向の中央部が凹んだ見付面１２ｃと、見付面１２ｃの上端より敷地側に階段状にのびる段部１２ｄと、上下方向の中央部が凹んだ見付面１２ｅと、見付面１２ｅの上端より敷地側に階段状にのびる段部１２ｆとからなる共通する特徴を有する意匠面１２を有している。上段フェンス１及び下段フェンス２の格子９は、道路側の見えがかり面に、上段フェンス１の下桟５ａと下段フェンス２の上桟４ｂと同様に、上下方向の中央部が凹んだ見付面１２ｃと、見付面１２ｃの上端より敷地側に階段状にのびる段部１２ｄと、上下方向の中央部が凹んだ見付面１２ｅと、見付面１２ｅの上端より敷地側に階段状にのびる段部１２ｆとからなる共通する特徴を有する意匠面１２を有している。さらに、上段フェンス１の上桟４ａの道路側の見えがかり面には、上下方向の中央部が凹んだ見付面１２ｃを有し、下段フェンス２の下桟５ｂの道路側の見えがかり面には、上下方向の中央部が凹んだ見付面１２ｅと、見付面１２ｅの上端より敷地側に階段状にのびる段部１２ｆを有している。上段フェンス１及び下段フェンス２の上桟４ａ，４ｂと格子９と下桟５ａ，５ｂの見付面１２ｃ，１２ｅは面一になっており、見付面１２ｃの見付寸法ｖ１と見付面１２ｅの見付寸法ｖ２は３５ｍｍで共通であり（見付面１２ｃ，１２ｅ中の凹部の見付寸法と上下位置は若干異なる）、見付面１２ｃの上端と見付面１２ｅの下端間の隙間ｓ１及び見付面１２ｅの上端と見付面１２ｃの下端間の隙間ｓ２は１５ｍｍと同じ寸法になっている。これにより本多段フェンスは、上段フェンス１の上桟４ａから下段フェンス２の下桟５ｂにわたって、見えがかり面に上段フェンス１の下桟５ａと下段フェンス２の上桟４ｂとによる意匠面１２と同様の意匠面１２が繰り返すように設けてある。これにより本多段フェンスは、図７に示すように、上段フェンス１と下段フェンス２との境目が目立たず、全体として統一感のある意匠となっている。
【００１２】
以上に述べたように本多段フェンスは、上段及び下段の各フェンス１，２が、上桟４ａ，４ｂ及び下桟５ａ，５ｂと上下桟４ａ，４ｂ，５ａ，５ｂ間に設けた複数の格子９，９，…とを有し、上段フェンス１の下桟５ａと下段フェンス２の上桟４ｂは、一方に他方が呑み込ませてあり、見えがかり面に共通する特徴を有する意匠面１２を有し、上段フェンス１の上桟４ａから下段フェンス２の下桟５ｂにわたって、見えがかり面に上段フェンス１の下桟５ａと下段フェンス２の上桟４ｂとによる意匠面１２と共通の意匠面１２が繰り返すように設けてあることで、上段フェンス１と下段フェンス２とが意匠的に分断されることなく連続し、全体として統一感のある意匠になる。
【００１３】
上段フェンス１の右フェンス１ａと左フェンス１ｂの上桟４ａ，４ａは、図１，２に示すように、上桟接続具２０ａで接続してあり、上段フェンス１の右フェンス１ａと左フェンス１ｂの下桟５ａ，５ａは、下桟接続具２０ｂで接続してある。同じように、下段フェンス２の右フェンス２ａと左フェンス２ｂの上桟４ｂ，４ｂは、図１，２に示すように、上桟接続具２０ａで接続してあり、下段フェンス２の右フェンス２ａと左フェンス２ｂの下桟５ｂ，５ｂは、下桟接続具２０ｂで接続してある。
上桟接続具２０ａと下桟接続具２０ｂは、樹脂製で、図６に示すように、上桟４ａ，４ｂ及び下桟５ａ，５ｂの中空部内に挿入し、敷地側からネジ止めしてある。また、上桟接続具２０ａと下桟接続具２０ｂは、左右のフェンス１ａ，１ｂ，２ａ，２ｂの上桟４ａ，４ｂ及び下桟５ａ，５ｂの小口に挟み込まれる板状部２１を有し、板状部２１の前側（道路側）及び後側（敷地側）の端部に左右フェンス１ａ，１ｂ，２ａ，２ｂ間の隙間を隠す隙間隠し部２２を有している。
【００１４】
本多段フェンスは、図２，６に示すように、上桟接続具２０ａと下桟接続具２０ｂとの間の左右のフェンス１ａ，１ｂ及び２ａ，２ｂの縦桟６，６間に、隙間カバー３５を有している。隙間カバー３５は、図２の例では、右フェンス１ａ，２ａの縦桟６に取付く小口材１３ａと、左フェンス１ｂ，２ｂの縦桟６に取付く小口材１３ｂの二部材で構成してある。
各小口材１３ａ，１３ｂは、見込壁１４と一対の係止片１５，１５を有し、係止片１５，１５を縦桟６に形成された溝１６に側方より弾発的に係止させて、縦桟６に取付けてある。左フェンス１ｂ，２ｂの小口材１３ｂは、左右フェンス１ａ，１ｂ及び２ａ，２ｂの前側（道路側）と後側（敷地側）とに、左右フェンス１ａ，１ｂ及び２ａ，２ｂ間の隙間を隠す隙間隠し部１７，１７を有している。隙間隠し部１７の見付寸法ａは、６ｍｍとなっている。左フェンス１ｂ，２ｂの小口材１３ｂと右フェンス１ａ，２ａの小口材１３ａは当接しており、且つ互いに係合する雄雌の係合部１８ａ，１８ｂを有している。
左右フェンス１ａ，１ｂ，２ａ，２ｂは、図２，５に示すように、格子９，９，…の小口が上下桟４ａ，４ｂ，５ａ，５ｂの小口と略同じ位置にあり、小口材１３ａ，１３ｂで格子９，９，…の小口を隠している。
【００１５】
図４は、隙間カバー３５の他の実施形態を示している。図４（ａ）の実施形態は、図２の実施形態と同様に、隙間カバー３５が右フェンス１ａ，２ａの縦桟６に取付く小口材１３ａと、左フェンス１ｂ，２ｂの縦桟６に取付く小口材１３ｂの二部材で構成され、右フェンス１ａ，２ａ側の小口材１３ａは、左右フェンス１ａ，１ｂ及び２ａ，２ｂの前側（道路側）に隙間隠し部１７を有し、左フェンス１ｂ，２ｂ側の小口材１３ｂは、左右フェンス１ａ，１ｂ及び２ａ，２ｂの後側（敷地側）に隙間隠し部１７を有している。
図４（ｂ）の実施形態は、隙間カバー３５が、右フェンス１ａ，２ａの縦桟６に取付く小口材１３ａと、左フェンス１ｂ，２ｂの縦桟６に取付く小口材１３ｂと、両小口材１３ａ，１３ｂの間に挟み込むように設けた連結材１９の三部材で構成され、小口材１３ａ，１３ｂには隙間隠し部１７を有しておらず、連結材１９の道路側及び敷地側の端部に隙間隠し部１７を設けてある。連結材１９は、左右のフェンスの小口材１３ａ，１３ｂに当接しており、且つ互いに係合する雄雌の係合部１８ａ，１８ｂを有している。
【００１６】
以上に述べたように本多段フェンスは、右フェンス１ａ，２ａと左フェンス１ｂ，２ｂの上桟４ａ，４ｂが上桟接続具２０ａで、下桟５ａ，５ｂが下桟接続具２０ｂでそれぞれ接続され、上桟接続具２０ａと下桟接続具２０ｂとの間で左右のフェンス１ａと１ｂ及び２ａと２ｂの縦桟６，６間に隙間カバー３５が設けてあり、隙間カバー３５に左右フェンス１ａ，１ｂ，２ａ，２ｂ間の隙間を隠す隙間隠し部１７が左右フェンス１ａ，１ｂ，２ａ，２ｂの前側と後側に設けてあるので、左右のフェンス１ａ，１ｂ，２ａ，２ｂに熱収縮があったとしても、左右フェンス１ａ，１ｂ間及び２ａ，２ｂ間に隙間が生じない。
隙間カバー３５は、上下桟４ａ，５ａ間及び４ｂ，５ｂ間に設けた格子９，９，…の小口を隠しているので、意匠性が良い。また、格子９，９，…が収縮して格子９，９，…の小口と小口材１３ａ，１３ｂの間に隙間ができても、隙間隠し部１７で隠れてその隙間が見えない。
図２と図４（ａ）の実施形態の隙間カバー３５は、右フェンス１ａ，２ａの縦桟６に取付く部材（小口材）１３ａと、左フェンス１ｂ，２ｂの縦桟６に取付く部材（小口材）１３ｂの二部材からなるので、あらかじめ左右のフェンス１ａ，１ｂ，２ａ，２ｂの縦桟６に部材１３ａ，１３ｂを取付けてから、両部材１３ａ，１３ｂを突き合わせるだけで左右フェンス１ａ，１ｂ，２ａ，２ｂ間の隙間を隠すことができ、施工性が良い。
左フェンス１ｂ，２ｂの小口材１３ｂと右フェンス１ａ，２ａの小口材１３ａとが当接しているので、隙間隠し部１７の見付寸法を小さくでき、左右のフェンス１ａ，１ｂ，２ａ，２ｂの連結部を目立たなくできる。
図４（ｂ）に記載のものは、連結材１９が左右のフェンスの小口材１３ａ，１３ｂに当接していることで、隙間隠し部１７の見付寸法を小さくでき、左右のフェンス１ａ，１ｂ，２ａ，２ｂの連結部を目立たなくできる。
【００１７】
支柱３は、図１に示すように、上段フェンス１及び下段フェンス２の下桟５ａ，５ｂと上桟４ａ，４ｂを引っ掛け、支柱３の道路側の見付面に引き寄せて固定する引寄せ金具２３ａ，２３ｂを有している。下段フェンス２の下桟５ｂと上桟４ｂ、及び上段フェンス１の下桟５ａ用の引寄せ金具２３ｂは、道路側からねじ２４を締め付けることで、下桟５ａ，５ｂ及び上桟４ｂを支柱３に引き寄せて固定する。上段フェンス１の上桟４ａ用の引寄せ金具２３ａは、敷地側からねじ２５を締め付けることで、上桟４ａを支柱３に引き寄せて固定する。支柱３は、左右方向に位置を移動できるいわゆるフリー支柱となっている。
【００１８】
図３に示すように、多段フェンスの右側及び左側の端部には、上段フェンス１と下段フェンス２に跨る長尺材である縦材２６が取付けてある。縦材２６は、図２に示すように、略コ字形の断面となっており、コーナー部が斜め４５°に面取りしてあり、面取りしたコーナー部に溝２７ａ，２７ｂが形成してある。当該溝２７ａ，２７ｂは、後述するように、多段フェンス同士をコーナー部で連結する際に連結材２８を取付けるためのものである。縦材２６の上下端部には、キャップ２９が縦材２６に形成されたタッピングホールを利用してねじ止めして取付けてある。
【００１９】
次に、本多段フェンスの施工手順を説明する。まず、支柱３，３，３を適当な位置に立設する。次に、図９−１（ａ）に示すように、下段フェンス２の右フェンス２ａを取付ける。このとき、図１０（ａ）に示すように、上桟４ｂ用の引寄せ金具２３ｂのねじ２４をあらかじめ緩めておき、下桟５ｂと上桟４ｂを引寄せ金具２３ｂ，２３ｂに引っ掛けて仮付けし、左右方向の位置を調整してから、図１０（ｂ）に示すように、道路側からねじ２４を締め付けて固定する。次に、図９−１（ｂ）に示すように、上桟４ｂと下桟５ｂの端部に上桟接続具２０ａと下桟接続具２０ｂを取付け、下段フェンス２の左フェンス２ｂを上桟接続具２０ａと下桟接続具２０ｂで右フェンス２ａと連結しつつ、支柱３に取付ける。次に、図９−２（ｃ）に示すように、上段フェンス１の右フェンス１ａを取付ける。このとき、図１０（ｃ）に示すように、上桟４ａ用の引寄せ金具２３ａのねじ２５をあらかじめ緩めておき、下桟５ａと上桟４ａを引寄せ金具２３ａ，２３ｂに引っ掛けてから、図１０（ｄ）に示すように、敷地側からねじ２５を締め付けて固定する。次に、図９−２（ｄ）に示すように、上桟４ａと下桟５ａの端部に上桟接続具２０ａと下桟接続具２０ｂを取付け、上段フェンス１の左フェンス１ｂを上桟接続具２０ａと下桟接続具２０ｂで右フェンス１ａと連結しつつ、支柱３に取付ける。上段フェンス１の左右のフェンス１ａ，１ｂを取付ける際、下段フェンス２の上桟４ｂの上に上段フェンス１の下桟５ａを乗せることで、上段フェンス１の取付けが一人でも容易に行える。その後、図９−２（ｅ）に示すように、左右の端部に上段フェンス１と下段フェンス２に跨って縦材２６，２６を取付ける。
【００２０】
図１１〜１３は、右多段フェンス３０と左多段フェンス３１をコーナー部でコーナー連結具３６により連結した実施形態を示している。コーナー連結具３６は、右多段フェンス３１の左側端部に取付けた縦材２６と、左多段フェンス３１の右側端部に取付けた縦材２６と、両縦材２６，２６間に取付けた連結材２８とからなる。
縦材２６は、先に説明した単体の多段フェンスの側端部に取付けられる縦材２６と同じものであり、上段フェンス１と下段フェンス２に跨る長尺材である。連結材２８は、図１１に示すように、上段フェンス１と下段フェンス２に跨る長尺材であり、図１２に示すように、略板状に形成してあり、左右の端部に略円柱状となった膨らみ部３２，３２が設けてあり、膨らみ部３２，３２の中心は板状部に対して前後方向に偏心した位置にある。各膨らみ部３２，３２は、左右の多段フェンス３０，３１の縦材２６の後側のコーナー部に形成した溝２７ｂに係合している。連結材２８の上下端部には、板状部に形成されたタッピングホールを利用してキャップ３３がねじ止めして取付けてある。
【００２１】
上述した左右多段フェンスの縦材２６，２６と連結材２８とによるコーナー連結具３６は、左右の多段フェンス３０，３１を９０°で連結する場合に限らず、図１４（ａ）に示すように、左右の多段フェンス３０，３１を９０°より小さい角度で連結したり、図１４（ｂ）に示すように、９０°より大きい角度で連結したりすることもできる。コーナー部の角度が９０°より大きい場合は、連結具２８を前後逆向きで取付ける。
さらに、図１５に示すように、入隅のコーナー部にも対応することができる。入隅のコーナー部に用いる場合は、連結材２８の膨らみ部３２，３２は、縦材２６の前側のコーナー部の溝２７ａに係合させる。
【００２２】
次に、コーナー部の施工手順を説明する。まず、図１６−１（ａ）に示すように、右多段フェンス用支柱３，３の見付面に右多段フェンス３０の下段フェンス２を取付ける。次に、図１６−１（ｂ）に示すように、下段フェンス２の上桟４ｂの上に上段フェンス１の下桟５ａを乗せた状態で、上段フェンス１を右多段フェンス用支柱３，３の見付面に取付ける。次に、図１６−１（ｃ）に示すように、コーナー連結具３６の右側の縦材２６を右多段フェンス３０の端部に装着する。次に、図１６−２（ｄ）に示すように、左多段フェンス３１の下段フェンス２を左多段フェンス用支柱３，３に引寄せ金具２３ｂで仮付けした状態（上側の引寄せ金具２３ｂのねじ２４を緩めた状態、図１０（ａ），（ｂ）参照）で、右側にスライドして端部をコーナー連結具３６の左側の縦材２６に挿入する。次に、図１６−２（ｅ）に示すように、下段フェンス２の上桟４ｂの上に上段フェンス１の下桟５ａを乗せた状態で、上段フェンス１を左多段フェンス用支柱３，３の見付面に仮付けし、右側にスライドして端部をコーナー連結具３６の左側の縦材２６に挿入する。その後、右多段フェンス３０及び左多段フェンス３１のコーナー連結具３６と反対側の端部に連結して、上段フェンス１及び下段フェンス２を連設する（図９−２参照）。
【００２３】
以上に述べたように本多段フェンスは、右多段フェンス３０及び左多段フェンス３１が、下段フェンス２の上桟４ｂの上に上段フェンス１の下桟５ａを乗せた状態で支柱３，３の見付面に取付けてあり、上段フェンス１と下段フェンス２に跨る長尺材である左右の縦材２６，２６を連結材２８で連結したコーナー連結具３６の左右の縦材２６，２６に右多段フェンス３０と左多段フェンス３１の端部を装着したので、左右の多段フェンス３０，３１を上段フェンス１の上部から下段フェンス２の下部までコーナー連結具３６で一連で連結できるので、コーナー部の施工が容易である。また、コーナー連結具３６の縦材２６，２６及び連結材２８が、上段フェンス１と下段フェンス２に跨る長尺材であり、上下の境目が無いから見た目も良い。下段フェンス２の上桟４ｂの上に上段フェンス１の下桟５ａを乗せることで、上段フェンス１の取付けが一人でも容易に行える。
右多段フェンス３０又は／及び左多段フェンス３１は、支柱３，３に取付けた状態で左右方向にスライドしてコーナー連結具３６の縦材２６，２６に挿入自在であるため、コーナー部の施工がより一層容易に行える。
【００２４】
また、本多段フェンスの製造方法は、一方側多段フェンス用支柱３，３に一方側多段フェンス（右多段フェンス）３０を取付け、上段フェンス１と下段フェンス２とに跨る長尺材である左右の縦材２６，２６を連結材２８で連結したコーナー連結具３６の一方側縦材２６を一方側多段フェンス３０の端部に装着し、他方側多段フェンス用支柱３，３の見付面に他方側多段フェンス（左多段フェンス）３１を仮付けし、左右方向にスライドして他方側多段フェンス３１の端部をコーナー連結具３６の他方側縦材２６に挿入することで、左右の多段フェンス３０，３１を上段フェンス１の上部から下段フェンス２の下部までコーナー連結具３６で一連で連結できるので、コーナー部の施工が容易である。また、コーナー連結具３６の縦材２６，２６及び連結材２８が、上段フェンス１と下段フェンス２に跨る長尺材であり、上下の境目が無いから見た目も良い。
下段フェンス２の上桟４ｂに上段フェンス１の下桟５ａを乗せることで、上段フェンスの取付けが一人でも容易に行える。
右多段フェンス３０又は／及び左多段フェンス３１は、それぞれ左右方向に長く連設することができるが、先にコーナー部を施工した後、その端部に連結して順次施工することで、施工誤差を生じることなく施工できる。
【００２５】
本発明は以上に述べた実施形態に限定されない。本発明の多段フェンスは、上段フェンスの上桟から下段フェンスの下桟にわたって、見えがかり面に上段フェンスの下桟と下段フェンスの上桟とによる意匠面と共通の意匠面が繰り返すように設けてあればよく、意匠面の具体的な形態は問わない。上段フェンス及び下段フェンスは、必ずしも左右のフェンスを連結したものでなくてもよい。
【符号の説明】
【００２６】
１  上段フェンス
１ａ  右フェンス
１ｂ  左フェンス
２  下段フェンス
２ａ  右フェンス
２ｂ  左フェンス
３  支柱
４ａ，４ｂ  上桟
５ａ，５ｂ  下桟
６  縦桟
９  格子
１２  意匠面
１３ａ，１３ｂ  小口材
１７  隙間隠し部
２０ａ  上桟接続具
２０ｂ  下桟接続具
２６  縦材
２８  連結材
３５  隙間カバー
３６  コーナー連結具
【図１】
2020056265.tif 000003
【図２】
2020056265.tif 000004
【図３】
2020056265.tif 000005
【図４】
2020056265.tif 000006
【図５】
2020056265.tif 000007
【図６】
2020056265.tif 000008
【図７】
2020056265.tif 000009
【図８】
2020056265.tif 000010
【図９−１】
2020056265.tif 000011
【図９−２】
2020056265.tif 000012
【図１０】
2020056265.tif 000013
【図１１】
2020056265.tif 000014
【図１２】
2020056265.tif 000015
【図１３】
2020056265.tif 000016
【図１４】
2020056265.tif 000017
【図１５】
2020056265.tif 000018
【図１６−１】
2020056265.tif 000019
【図１６−２】
2020056265.tif 000020